(57)【要約】      （修正有）【課題】季節に対応し、涼と暖を得、過ごしやすく、作成時の工程課程の削減と時短を図り、着付けを簡易化し、歩行時の機能性の向上を図り、着心地が良く、美装を兼ね、余分な生地の使用を削減し、様々な体型に合わせることが可能で、トイレ時の着脱を簡易的にし、携帯品の収納を便利にする一体加工着物を提供する。【解決手段】接合剤を使用し、表地と裏地を接合し、半衿、衣紋抜き、帯板、伊達締め、おはしょり、帯揚、帯締め、帯、仮紐、長襦袢の縫製加工に着心地の良さを追求し、ポケット２９、スナップ１，２の係止具を取り付ける。一体加工着物、加工済み長襦袢において、袖、着丈、身幅、右前身頃裾部、裾部スリットを裁断加工する。【選択図】図２０
2015071851.tif 000002
【特許請求の範囲】
【請求項１】
一体加工着物において、接合剤を使用し、表地と裏地を接合し、半衿、衣紋抜き、帯板
伊達締め、おはしょり、帯揚、帯締め、帯、仮紐、長襦袢の縫製、加工により、季節の寒暖に対応し、作成の工程課程の削減と時短化、着付けの簡易化、歩行時の機能性と着心地の良さ、美装、使用生地の削減、様々な体型への適合化、トイレ時の着脱の簡易化、小物収納の利便化を備える一体加工着物。
【請求項２】
一体加工着物（形態安定型）において、半衿、長襦袢、着物に形態安定加工を施すことにより、自宅での洗濯を可能とし、経済的かつ、保管維持を容易とし、しわを防止し、手間を省き、継続的使用を可能とする一体加工着物（形態安定型）。
【発明の詳細な説明】
【技術分野】
【０００１】
以下の文章において、面ファスナー、スナップ、紐、フック、仮紐などを係止具の代表とする。
本発明、請求項１記載の一体加工着物の明細として、着物地と裏地に粘着剤を使用し、一体加工し、裁断、縫製加工する。また、ポケットを取り付け、面ファスナー、スナップを使用。半衿、衣紋抜き、帯板、伊達締め、おはしょり、帯揚げ、帯締め、帯、仮紐の簡易化加工と袖と身八ツ口の加工をする。季節の寒暖に対応した素材を使用し、暖と涼を得、作成時の工程の削減と時間の短縮を図り、着付けの簡易化と歩行時の機能性の向上をはかり、着心地の良さ、美装を目的とし、無駄な生地の使用を削減し、様々な体型に合わせることが可能で、トイレ時の着脱を簡易化し、小物収納を利便化した、一体加工着物に関するものである。
本発明、請求項１記載の加工済み長襦袢の明細として、季節に対応した生地を使用し、裁断、縫製、加工する。また余分な生地を裁断加工し、歩行時の機能性を図り、胸元の補正に、ポケットと面ファスナーを加工し、防寒、防暑対策と美装を兼ね、背中心裾部にスリットを加工し、トイレ時の着脱をも機能的とした加工済み長襦袢に関するものである。
本発明、請求項１記載のインターナショナル着物の明細として、従来の着物の和柄の生地などを使用し、帯を洋装化し、スカーフ地などを使用し、裾にスリットを入れることで、帯結びや着付けを不得手とされる方向けの、インターナショナル着物に関するものである。
本発明、請求項２記載の一体加工着物（形態安定型）の明細として、着物、長襦袢、半衿に形態安定加工を施した一体加工着物（形態安定型）に関するものである。
【背景技術】
【０００２】
本発明、請求項１記載の一体加工着物において、従来の着物は、古来の教えに忠実であり、着付けや、四季ごとの装着の仕方にもしきたりや一定の規律が守られ、由緒ただしいものである。従来の着物は、下着として長襦袢を着用し、重ねて着物を着付けるといった、二重装備であり、素材と縫製加工が季節に対応しておらず、着物の作成と着付けに手間と時間を多く要し、歩行時の機能性に欠け、着心地の良さと美装に欠け、余分な生地の使用が多く、様々な体型の方のカバー力に欠け、トイレ時も容易ではなく、携帯品の持ち運びが不便であった。
また、半衿、衣紋抜き、帯板、伊達締め、おはしょり、帯揚げ、帯締め、帯、仮紐の縫製加工に工夫がなかった。
本発明、請求項１記載の加工済み長襦袢において、従来の長襦袢は、素材と縫製加工が季節に対応しておらず、余分な生地の使用が多く、歩行時の機能性に欠け、胸元の補正と防寒、防暑対策、美装に欠け、トイレ時も容易ではなかった。
本発明、請求項１記載のインターナショナル着物において、従来の着物については、帯も帯の素材も、簡易的、洋装的でなく、裾にスリットの加工がなく、国際的な観点からかいま見て、着用しにくく、需要が多いものではなかった。
本発明、請求項２記載の一体加工着物（形態安定型）において、従来の着物、長襦袢、半衿は、自宅での洗濯が困難であり、また、しわになりやすく、保管維持が容易でなく、需要の減少化がかいまみえた。
【先行技術文献】
【特許文献】
【０００３】
【特許文献１】特開２０１３−２４５４２１号公報
【発明の概要】
【発明が解決しようとする課題】
【０００４】
本発明、請求項１記載の一体加工着物において、従来の着物は、素材と縫製加工が、季節に対応しておらず、下着として長襦袢を着用し、重ねて着物を着付けるといった、二重装備であった。半衿、衣紋抜き、帯板、伊達締め、おはしょり、帯揚げ、帯締め、帯、仮紐の縫製加工に工夫がなく、着物と長襦袢の衿合わせや裁断、縫製加工において、工夫に欠けていた。
以上の観点から、季節の寒暖に対応しておらず，二重装備のため、作成課程において、時
間と工程に手間がかかり、装着時にも着付けの手間があり、歩行時の機動性に欠け、着心地の良さと美装に欠け、余分な生地の使用が多く、様々な体型の方のカバー力に欠け、トイレ時の着脱が簡易的でなく、小物の携帯が不便という解決課題がある。
本発明、請求項１記載の加工済み長襦袢において、従来の長襦袢は、素材と縫製加工が、季節に対応しておらず、右前身頃の裁断加工がなく、胸元の面ファスナーやポケットの加工、背中心のスリット加工においても、工夫がなかった。
以上の観点から、季節の寒暖に対応しておらず，余分な生地の使用が多いため、歩行時の機動性に欠け、胸元の補正と防寒、防暑対策、美装に欠け、トイレ時の着脱が容易でないという解決課題がある。
本発明、請求項１記載のインターナショナル着物において、従来の着物は、帯も帯の素材も簡易的、洋装的使用のものでなく、裾にスリットの加工がなかった。
以上の観点から、着付けを不得手とされる方には、着用しにくく、トイレ時の着脱が容易でなく、国際的な需要が少ないという解決課題がある。
本発明、請求項２記載の一体加工着物（形態安定型）において、従来の着物、長襦袢、半衿、は、自宅での洗濯が困難であり、また、しわになりやすく、保管維持が容易でなく、需要の減少化がかいまみえた。
【課題を解決するための手段】
【０００５】
請求項１記載の、一体加工着物において、接合剤を使用し、表地と裏地を接合し、半衿、衣紋抜き、帯板、伊達締め、おはしょり、帯揚、帯締め、帯、仮紐、長襦袢の縫製、加工により、季節の寒暖に対応し、作成の工程課程の削減と時短化、着付けの簡易化、歩行時の機能性と着心地の良さ、美装、使用生地の削減、様々な体型への適合化、トイレ時の着脱の簡易化、小物収納の利便化を備える一体加工着物。
第２の発明の加工済み長襦袢において、従来の長襦袢の裁断、縫製課程において、季節の寒暖に対応した生地を使用し、余分な生地の使用を削減し、胸元の補正の簡易化と防寒、防暑対策、美装とトイレ時の着脱をも簡易的にした加工済み長襦袢を作成する。
第３の発明のインターナショナル着物において、従来の着物の和柄の生地などを使用し、帯を洋装化し、スカーフ地などを使用し、裾にスリットを入れ、インターナショナル化した着物を作成する。
請求項２記載の、一体加工着物（形態安定型）において、着物、長襦袢、半衿に形態安定加工を施すことにより、自宅での洗濯を可能とし、経済的かつ、しわを防止し、保管維持を容易とし、手間を省き、継続的使用を可能とする一体加工着物（形態安定型）。
【発明の効果】
【０００６】
本発明、請求項１記載の一体加工着物において、従来の合わせ着物の作成課程に比べ、季節に対応し、涼と暖を得、過ごしやすく、作成時の工程課程の削減と時短を図る。また着付けを簡易化し、歩行時の機能性の向上を図り、着心地が良く、美装を兼ね、余分な生地の使用を削減し、様々な体型に合わせることが可能で、トイレ時の着脱を簡易的にし、携帯品の収納を便利にするという効果を得る。
本発明、請求項１記載の加工済み長襦袢において、従来の長襦袢の裁断、縫製課程において、季節の寒暖に対応した生地を使用し、涼と暖を得、過ごしやすく、無駄な生地の使用を削減し、歩行時の機能性の向上を図り、胸元の補正の簡易化と防寒、防暑対策、美装
トイレ時の簡易化をも目的とした加工済み長襦袢を作成する。
本発明、請求項１記載のインターナショナル着物において、和柄の生地などを使用し、帯を簡易化、洋装化し、スカーフ地などを使用し、裾にスリットを入れることで、歩行時の機能性の向上を図り、トイレ時の着脱が簡易的で国際的に着用しやすく、国際的な需要多く得るという効果を得る。
本発明、請求項２記載の一体加工着物（形態安定型）において、着物、長襦袢、半衿に
形態安定加工を施すことにより、自宅での洗濯を可能とし、経済的で、しわを防止し、保管維持を容易とし、継続的使用を可能とする。
【図面の簡単な説明】
【０００７】
【図１】一体加工着物［正面図］
【図２】一体加工着物［背面図］
【図３】補正ベルト［正面図］
【図４】一体加工着物に用いる加工済み半衿部（形態安定加工型）    [表部]、 [裏部]
【図５】一体加工着物に用いる加工済み半衿部（半衿地と芯素材加工型）[表部]、 [裏部]
【図６】一体加工着物に用いる加工済み半衿部（半衿地と芯素材加工型）    [縫製図１]    [縫製図２]
【図７】一体加工着物に用いる加工済み伊達締め  係止具（紐仕様）    ［加工済みおはしょり］
【図８】一体加工着物に用いる加工済み伊達締め  係止具（面フアスナー仕様）    [表部]、 [裏部]
【図９】一体加工着物に用いる加工済み帯揚げ（装飾部）
【図１０】一体加工着物に用いる加工済み帯揚げ（枕ガーゼ挿入部）
【図１１】一体加工着物に用いる加工済み帯締め
【図１２】一体加工着物に用いる加工済み帯結び帯
【図１３】一体加工着物に用いる加工済み帯（装飾部）
【図１４】一体加工着物に用いる加工済み帯、胴囲部（面フアスナー仕様）      [表部]、 [裏部]
【図１５】一体加工着物に用いる加工済み帯、胴囲部  係止具（紐仕様）
【図１６】加工済み長襦袢[正面図]    [右衿裏図][左衿裏図]
【図１７】加工済み長襦袢[背面図]
【図１８】インターナショル着物
【図１９】加工済み仮紐
【図２０】一体加工着物（形態安定型）
【図２１】加工済み長襦袢（形態安定型）
【発明を実施するための形態】
【０００８】
本発明を実施するための裁断、縫製について図面を用いて説明する。
本発明の単位はｃｍで、点線の縫いしろは、1cmである。
表示は、横×縦。
【実施例】
【０００９】
イ）図１（正面図）で示すように、一体加工着物は、季節の寒暖に対応した素材を
使用し、生地の段階で着物地と裏地を二枚合わせにし、一体加工する。  
ロ）図１（正面図）で示すように、加工済み半衿図４、図５のスナップ２と重なるように、一体加工着物の衿裏に、スナップ１を取り付け加工
ハ）図１（正面図）で示すように、袖下あき部５両側を縫製加工
二）図１（正面図）で示すように、身八ツ口部両側２８に面ファスナー３、４を左右とも内側にそれぞれ取り付け加工
ホ）図１（正面図）で示すように、右前身頃裾部を裁断線９で裁断
図１（正面図）で示すように、左前身頃裾部を裁断線３７で裁断
ヘ）図１（正面図）で示すように、左前身頃裏部にポケット２９を縫製
ト）図１（正面図）で示すように、左前身頃裏裾部にスナップ１と右前身頃表裾部スナップ２を縫製
チ）図２（背面図）に示すように、腰部にスナップ１，２を取り付ける。
リ）図２（背面図）で示すように、各々の体型に合わせ、着丈６と袖丈７の調整加工
ヌ）図２（背面図）で示すように、裾つぼまり８の調整加工
ル）図２（背面図）で示すように、身八ツ口部両側２８に面ファスナー３、４を左右とも内側にそれぞれ取り付け加工
ヲ）図３に示すように、補正ベルト左部に面ファスナー３を取り付ける
ワ）図４（表部）で示すように、半衿部（形態安定加工型）１８に面ファスナー３とスナップ２を取り付け加工
カ）図４（裏部）で示すように、半衿部（形態安定加工型）１８に面ファスナー４を縫製加工
ヨ）図４（裏部）右、面ファスナー４と図３補正ベルト左部、面ファスナー３を接合
タ）図４（表部）に示すように、右、面ファスナー３と図４（裏部）に示すように、左、面ファスナー４を接合
レ）図５（表部）で示すように、半衿部（半衿地と芯素材加工型）１９に面ファスナー３とスナップ２を縫製
ソ）図５（裏部）で示すように、半衿部（半衿地と芯素材加工型）１９に面ファスナー４を縫製
ノ）図５（裏部）右、面ファスナー４と図３補正ベルト左部、面ファスナー３を接合    ツ）図５（表部）に示すように、右、面ファスナー３と図４（裏部）に示すように、左、面ファスナー４を接合
ネ）図６（縫製図１）で示すように、芯素材１０を半衿地１２で下部をくるみ、縫
製線１１を縫製する
ナ）図６（縫製図２）で示すように、芯素材１０を半衿地１２で上部をくるみ、縫
製線１１を縫製し面ファスナー４も縫製
ラ）図７に示すように、伊達締め１３に帯板２１を前後とも一体加工し、係止具（
紐１７）縫製する。また、帯板２１の下部裏面に面ファスナー３を縫製し、加工済みおはしょり３３に面ファスナー４を縫製し、面ファスナー３、４を接合
【００１０】
ン）図８（表部）（裏部）に示すように、伊達締め１３に帯板２１を前後とも一体
加工する
また（表部）左端に係止具（面ファスナー３）、（裏部）右端に係止具（面ファスナー４）を縫製し、胴囲装着部を接合。
イ）図８（表部）に示すように、帯板２１の下部裏面に面ファスナー３を縫製し、
加工済みおはしょりの面ファスナー４と接合
ロ）図９に示すように、帯揚げ２０を装飾加工する
ハ）図１０に示すように、帯枕２３を入れやすいように、枕ガーゼ２２を縫製
二）図１１に示すように、帯締めの加工済み装飾部２４に帯締め胴囲装着部１４と
フック２５を取り付け加工
ホ）図１２に示すように、加工済み結び帯３５の手先の左端に、ファスナー付収納
３６を表裏とも縫製する
ヘ）図１３に示すように、加工済み帯（装飾部）２６にフック２５とファスナ
ー付収納３６を裏面に取り付ける
ト）図１４（表部）（裏部）に示すように、各帯胴囲部２７の（表部）に第一
面ファスナー３と（裏部）に第二面ファスナー４を縫製
チ）図１５に示すように、帯胴囲部２７に紐１７を縫製
リ）図１６（正面図）に示すように、衿１５の有無の加工
ヌ）図１６（正面図）に示すように、加工済み長襦袢の右衿表に第一面ファスナー
３
を縫製。
ル）図１６（右衿裏図）（左衿裏図）に示すように、それぞれ、第ニ面ファスナー
４を縫製。また、図３の面ファスナー３と図１６（右衿裏図）の面ファスナー４
を接合する。図１６の面ファスナー３と図１６（左衿裏図）の面ファスナー４を
接合
ヲ）図１６（正面図）に示すように、袖丈調整７の加工
ワ）図１６（正面図）に示すように、袖下あき部５を縫製加工
カ）図１６（正面図）に示すように、身八ツ口部両側２８の左右部にそれぞれ面フ
ァスナー３，４を取り付け加工。
ヨ）図１６（正面図）に示すように、腰部に紐１７を縫製
タ）図１６（正面図）に示すように、右前身頃裁断線９で裁断
レ）図１６（正面図）に示すように、胸部両側にポッケット２９を縫製
ソ）図１７（背面図）に示すように、袖１６の有無の加工
ノ）図１７（背面図）に示すように、衣紋抜きのため、腰部にスナップ１、２を縫
製
ツ）図１７（背面図）に示すように、裾つぼまり仕様８に加工
ネ）図１７（背面図）に示すように、背面、両肩部にポッケット２９を縫製
ナ）図１７（背面図）に示すように、裾部背中心線３０にスリットを入れ加工
ラ）図１８に示すように、胴囲部に、簡易的帯３１又は、スカーフ生地３１を用い
、裾にスリット３４を入れ込み着物をドレス化したもの。
ン）図１９に示すように仮紐を見せる加工３２にし、取り外すことなく帯のずれ防
止
イ）図２０に示すように一体加工着物に形態安定加工を施す
ロ）図２１に示すように加工済み長襦袢に形態安定加工を施す
【符号の説明】
【００１１】
１  係止具として  第一スナップ
２  係止具として  第二スナップ
３  係止具として  第一面ファスナー
４  係止具として  第二面ファスナー
５  袖下あき部
６  着丈
７  袖丈
８  裾つぼまり仕様
９  右前身頃裁断線
１０  芯素材
１１  半衿地縫製線
１２  半衿地
１３  伊達締め            
１４  帯締め胴囲装着部
１５  衿      
１６  袖
１７  係止具として  紐
１８  半衿部（形態安定加工型）
１９  半衿部（半衿地と芯素材加工型）
２０  帯揚げ装飾部
２１  帯板
２２  枕ガーゼ
２３  帯枕
２４  加工済み帯締め装飾部
２５  係止具として  フック
２６  加工済み帯装飾部
２７  帯胴囲部
２８  身八ツ口
２９  ポッケット
３０  裾部背中心線スリット
３１  簡易的帯（スカーフ生地など）
３２  係止具として  加工済み仮紐
３３  加工済みおはしょり
３４  スリット
３５  加工済み結び帯（手先の左端）
３６  ファスナー付収納
３７  左前身頃裁断線
【図１】
2015071851.tif 000003
【図２】
2015071851.tif 000004
【図３】
2015071851.tif 000005
【図４】
2015071851.tif 000006
【図５】
2015071851.tif 000007
【図６】
2015071851.tif 000008
【図７】
2015071851.tif 000009
【図８】
2015071851.tif 000010
【図９】
2015071851.tif 000011
【図１０】
2015071851.tif 000012
【図１１】
2015071851.tif 000013
【図１２】
2015071851.tif 000014
【図１３】
2015071851.tif 000015
【図１４】
2015071851.tif 000016
【図１５】
2015071851.tif 000017
【図１６】
2015071851.tif 000018
【図１７】
2015071851.tif 000019
【図１８】
2015071851.tif 000020
【図１９】
2015071851.tif 000021
【図２０】
2015071851.tif 000022
【図２１】
2015071851.tif 000023
【手続補正書】
【提出日】平成26年9月12日(2014.9.12)
【手続補正１】
【補正対象書類名】特許請求の範囲
【補正対象項目名】全文
【補正方法】変更
【補正の内容】
【特許請求の範囲】
【請求項１】
従来の着物にない、素材を考慮し、短めの着丈調整にし、衿合わせ部の右衿表面と左衿裏面に、取り外し可能な係止具を取り付け、前身頃と後ろ身頃の裁断の際に、身八ツ口部付近から剣先までの身幅を通常の着物の裁断に比べ１ｃｍ〜７ｃｍ程少なめに裁断し、身八ツ口部と袖下あき部に、係止具を取り付け、左胸部の裏部にポケット取り付け、裾の脛部程の位置（右前身頃表面と左前身頃裏面）に係止具を取り付けた冬簡易的和装着物
【請求項２】
従来の長襦袢にない、素材を考慮し、衿合わせ部の右衿表面と左衿裏面に取り外し可能な係止具を取り付け、身八ツ口部と袖下あき部に係具を取り付け、腰部に簡易的仮紐を取り付け、背中心の裾のスリットとポケット各部（胸部の両表面、肩部の両表面）を取り付けたことを特徴とする冬簡易的和装長襦袢
【請求項３】
従来の着物にない、素材を考慮し、短めの着丈調整にし、衿合わせ部の右衿表面と左衿裏面に取り外し可能な係止具を取り付け、あわせの裏地部分を、前身頃両胸部及び背面の腰から上部及び腰部から膝上部（膝位置から２ｃｍ〜１０ｃｍ程の位置）の腰周りのみのあわせ裏地とし、右前身ごろの剣先の延長線衿内側位置から縦におよそ１〜１０ｃｍ程の位置と同じく右前身頃裾の衽幅内側先端部からおよそ１０〜２５ｃｍ程の位置を結び斜めに裁断加工し、左前身ごろの衿先先端身頃側と合褄幅の交差点と同じく左前身頃裾の衽幅内側先端部から、およそ５〜２０ｃｍ程の位置を結び斜めに裁断し、袂の身八ツ口付近から袂の丸味までを直線で裁断縫製加工することを特徴とする夏簡易的和装着物
【請求項４】
従来の半衿にない、様々な素材を使用し、衿芯を兼ね備える形態安定加工をし、各部毎に厚み調整（０．５ｍｍ〜３．０ｍｍ程）し、数か所の係止具を取り付けた加工済み半衿を作成し、簡易的和装着物の衿と簡易的和装長襦袢の衿にもそれぞれ数か所の係止具を取り付け、容易な接合を可能とすることを特徴とする簡易的半衿
【請求項５】
従来の衣紋抜きにない、簡易的和装着物と簡易的和装長襦袢の背中心近辺の数か所に、係止具を取り付け加工し、衣紋抜きを容易にすることを特徴とする簡易的衣紋抜き
【請求項６】
従来の帯板と伊達締めにない、各個人に合わせた蒸れにくい素材の帯板（腹部、腰部）両端部に伊達締め（伸縮性のあるメッシュ素材を用いる）を縫製加工し、伊達締め右側に係止具を取り付け、帯板の腹部下部に厚みを持たせ、腹部、腰部にポケットを取り付けることを特徴とする簡易的帯板伊達締め
【請求項７】
従来の仮紐にない、通常の仮紐を様々な素材とサイズで加工し、着付け具としてだけでなく、長襦袢への取り付け加工や、帯飾りや根付のような装飾の役目を果たすことを特徴とする簡易的仮紐
【請求項８】
従来の帯揚げにない、帯揚げ結び目装飾部と胴囲装着部分を別加工とし、帯揚げの結び目装飾部は様々な素材を用い加工し、両端に係止具を取り付け、同じ帯揚げ素材で、胴囲装着部分中央部の帯枕挿入部分（２０ｃｍ〜２５ｃｍ程）だけを残し、両端を適宜な幅（２ｃｍ〜８ｃｍ程）で縫製し係止具を両端に取り付け加工することを特徴とする簡易的帯揚げ
【請求項９】
従来の帯締めにない、帯締め装飾部を様々な素材で加工し、胴囲装着部分を伸縮可能な素材と幅とし両端に、係止具を取り付け加工することを特徴とする簡易的帯締め
【請求項１０】
従来の帯にない、帯装飾部を様々な素材で加工し、お太鼓の内側に小物収納（縦１０ｃｍ程、幅１５〜２０ｃｍ程）を数か所の係止具で取り付け、帯胴囲装着部分を伸縮可能な素材とし係止具を取り付け加工することを特徴とする簡易的帯
【請求項１１】
従来の着物の和柄のデザインと様々な素材を使用し、帯を洋装化し、スカーフ地など様々な素材を使用し、裾にスリットを入れ、インターナショナル化した着物を作成することを特徴とするインターナショナル着物